(57)【要約】  商品情報の読取作業に関わる顧客、読取作業に関わる商品、及び、読取作業に関わる店員の中の少なくとも１つを撮影した撮影画像を取得する取得部（１１）と、顧客に向けられたディスプレイに、撮影画像を表示する撮影画像表示部（１２）と、を有するセルフＰＯＳ装置（１０）を提供する。
2016043102.tif 000002
【特許請求の範囲】
【請求項１】
商品情報の読取作業に関わる顧客、前記読取作業に関わる商品、及び、前記読取作業に関わる店員の中の少なくとも１つを撮影した撮影画像を取得する取得手段と、  前記顧客に向けられたディスプレイに、前記撮影画像を表示する撮影画像表示手段と、を有する情報処理装置。
【請求項２】
請求項１に記載の情報処理装置において、  前記撮影画像の中から、前記顧客及び前記商品の少なくとも一方である対象物を特定する対象物特定手段をさらに有し、  前記撮影画像表示手段は、前記対象物を強調表示する情報処理装置。
【請求項３】
請求項１又は２に記載の情報処理装置において、  前記商品情報を読み取る読取手段と、  前記読取手段が読み取った前記商品情報をディスプレイに表示する商品情報表示手段と、をさらに有し、  前記撮影画像表示手段は、前記商品情報が表示されているディスプレイに前記撮影画像を表示する情報処理装置。
【請求項４】
請求項１から３のいずれか１項に記載の情報処理装置において、  前記取得手段は、複数の撮影装置から前記撮影画像を取得し、  前記撮影画像表示手段は、１つまたは複数の画面で複数の前記撮影画像を表示し、  前記商品情報を読み取る読取手段と、  ある商品の前記商品情報を読み取ってから次の商品の前記商品情報を読み取るまでの時間を認識するテンポ認識手段と、をさらに有し、  前記撮影画像表示手段は、前記時間に基づいて、前記画面の数を制御する情報処理装置。
【請求項５】
請求項１から３のいずれか１項に記載の情報処理装置において、  前記取得手段は、複数の撮影装置から前記撮影画像を取得し、  前記撮影画像表示手段は、複数の前記撮影画像を画面に順次表示する情報処理装置。
【請求項６】
請求項１から５のいずれか１項に記載の情報処理装置において、  前記取得手段は、前記店員が位置するよう定められた所定のエリアを撮影するように設置された撮影装置から撮影画像を取得し、  前記撮影装置から取得された前記撮影画像に前記店員が写っているか否かを判断する判断手段をさらに有し、  前記撮影画像表示手段は、前記店員が写っていないと判断された前記撮影画像は表示しない情報処理装置。
【請求項７】
請求項１から６のいずれか１項に記載の情報処理装置において、  前記商品情報を読み取る読取手段と、  ある商品の前記商品情報を読み取ってから次の商品の前記商品情報を読み取るまでの時間を認識するテンポ認識手段と、をさらに有し、  前記撮影画像表示手段は、前記時間に基づいて、前記撮影画像の表示及び非表示を制御する情報処理装置。
【請求項８】
請求項１から７のいずれか１項に記載の情報処理装置において、  前記商品情報の読み取り、会計処理開始の入力受付、及び、会計処理をこの順に行う第１の流れ、及び／又は、前記商品情報の読み取り、及び、作業中止の入力受付をこの順に行う第２の流れを繰り返すよう構成されており、  前記撮影画像表示手段は、前記会計処理又は前記作業中止の入力受付の後に、前記商品情報の読み取りがなされると、当該読み取りに応じて、前記撮影画像の表示を開始する情報処理装置。
【請求項９】
請求項１から８のいずれか１項に記載の情報処理装置において、  前記情報処理装置は、顧客自身により商品情報の読取作業が行われるセルフＰＯＳ装置である情報処理装置。
【請求項１０】
請求項１から９のいずれか１項に記載の情報処理装置と、  商品情報の読取作業に関わる顧客、前記読取作業に関わる商品、及び、前記読取作業に関わる店員の中の少なくとも１つを撮影する少なくとも１つの撮影装置と、を有する情報処理システム。
【請求項１１】
コンピュータが、  商品情報の読取作業に関わる顧客、前記読取作業に関わる商品、及び、前記読取作業に関わる店員の中の少なくとも１つを撮影した撮影画像を取得する取得工程と、  前記顧客に向けられたディスプレイに、前記撮影画像を表示する撮影画像表示工程と、を実行する情報処理方法。
【請求項１２】
コンピュータを、  商品情報の読取作業に関わる顧客、前記読取作業に関わる商品、及び、前記読取作業に関わる店員の中の少なくとも１つを撮影した撮影画像を取得する取得手段、  前記顧客に向けられたディスプレイに、前記撮影画像を表示する撮影画像表示手段、として機能させるためのプログラム。
【発明の詳細な説明】
【技術分野】
【０００１】  本発明は、情報処理装置、情報処理システム、情報処理方法、及びプログラムに関する。
【背景技術】
【０００２】  顧客自身により商品情報の読取作業が行われるセルフＰＯＳ（Point Of Sales）装置がある。関連する技術が、特許文献１に開示されている。
【先行技術文献】
【特許文献】
【０００３】
【特許文献１】特許第５５３５５０８号公報
【発明の概要】
【発明が解決しようとする課題】
【０００４】  セルフＰＯＳ装置においては、顧客による不正（商品情報を読み取らせていない商品の持ち出し等）を抑制するための手段が望まれている。本発明は、顧客による不正を抑制するための従来にない手段を提供することを課題とする。
【課題を解決するための手段】
【０００５】  本発明によれば、  商品情報の読取作業に関わる顧客、前記読取作業に関わる商品、及び、前記読取作業に関わる店員の中の少なくとも１つを撮影した撮影画像を取得する取得手段と、  前記顧客に向けられたディスプレイに、前記撮影画像を表示する撮影画像表示手段と、を有する情報処理装置が提供される。【０００６】  また、本発明によれば、  前記情報処理装置と、  商品情報の読取作業に関わる顧客、前記読取作業に関わる商品、及び、前記読取作業に関わる店員の中の少なくとも１つを撮影する少なくとも１つの撮影装置と、を有する情報処理システムが提供される。【０００７】  また、本発明によれば、  商品情報の読取作業に関わる顧客、前記読取作業に関わる商品、及び、前記読取作業に関わる店員の中の少なくとも１つを撮影した撮影画像を取得する取得工程と、  前記顧客に向けられたディスプレイに、前記撮影画像を表示する撮影画像表示工程と、を実行する情報処理方法が提供される。【０００８】  また、本発明によれば、  商品情報の読取作業に関わる顧客、前記読取作業に関わる商品、及び、前記読取作業に関わる店員の中の少なくとも１つを撮影した撮影画像を取得する取得手段、  前記顧客に向けられたディスプレイに、前記撮影画像を表示する撮影画像表示手段、として機能させるためのプログラムが提供される。
【発明の効果】
【０００９】  本発明によれば、顧客による不正を抑制するための従来にない手段が実現される。
【図面の簡単な説明】
【００１０】  上述した目的、およびその他の目的、特徴および利点は、以下に述べる好適な実施の形態、およびそれに付随する以下の図面によってさらに明らかになる。【００１１】
【図１】本実施形態の装置のハードウエア構成の一例を概念的に示す図である。
【図２】本実施形態のセルフＰＯＳ装置の外観模式図の一例である。
【図３】本実施形態のセルフＰＯＳ装置の適用例を模式的に示す図である。
【図４】本実施形態のセルフＰＯＳ装置の機能ブロック図の一例である。
【図５】本実施形態のセルフＰＯＳ装置の機能ブロック図の一例である。
【図６】本実施形態のセルフＰＯＳ装置による表示の一例を模式的に示す図である。
【図７】本実施形態のセルフＰＯＳ装置による表示の一例を模式的に示す図である。
【図８】本実施形態のセルフＰＯＳ装置による表示の一例を模式的に示す図である。
【図９】本実施形態のセルフＰＯＳ装置の機能ブロック図の一例である。
【図１０】本実施形態のセルフＰＯＳ装置による表示の一例を模式的に示す図である。
【図１１】本実施形態のセルフＰＯＳ装置の機能ブロック図の一例である。
【図１２】本実施形態のセルフＰＯＳ装置の機能ブロック図の一例である。
【発明を実施するための形態】
【００１２】  まず、本実施形態の装置のハードウエア構成の一例について説明する。本実施形態の装置が備える各部は、任意のコンピュータのＣＰＵ（Central Processing Unit）、メモリ、メモリにロードされたプログラム（あらかじめ装置を出荷する段階からメモリ内に格納されているプログラムのほか、ＣＤ（Compact Disc）等の記憶媒体やインターネット上のサーバ等からダウンロードされたプログラムも含む）、そのプログラムを格納するハードディスク等の記憶ユニット、ネットワーク接続用インターフェイスを中心にハードウエアとソフトウエアの任意の組合せによって実現される。そして、その実現方法、装置にはいろいろな変形例があることは、当業者には理解されるところである。
【００１３】  図１は、本実施形態の装置のハードウエア構成の一例を概念的に示す図である。図示するように、本実施形態の装置は、例えば、バス１０Ａで相互に接続されるＣＰＵ１Ａ、ＲＡＭ（Random Access Memory）２Ａ、ＲＯＭ（Read Only Memory）３Ａ、表示制御部４Ａ、ディスプレイ５Ａ、操作受付部６Ａ、操作部７Ａ、通信部８Ａ、補助記憶装置９Ａ等を有する。なお、図示しないが、その他、撮影装置、外部機器と有線で接続される入出力インターフェイス、マイク、スピーカ等の他の要素を備えてもよい。
【００１４】  ＣＰＵ１Ａは各要素とともに装置のコンピュータ全体を制御する。ＲＯＭ３Ａは、コンピュータを動作させるためのプログラムや各種アプリケーションプログラム、それらのプログラムが動作する際に使用する各種設定データなどを記憶する領域を含む。ＲＡＭ２Ａは、プログラムが動作するための作業領域など一時的にデータを記憶する領域を含む。補助記憶装置９Ａは、例えばＨＤＤ（Hard Disc Drive）であり、大容量のデータを記憶可能である。
【００１５】  ディスプレイ５Ａは、例えば、表示装置（ＬＥＤ（Light Emitting Diode）表示器、液晶ディスプレイ、有機ＥＬ（Electro Luminescence）ディスプレイ等）である。ディスプレイ５Ａは、タッチパッドと一体になったタッチパネルディスプレイであってもよい。表示制御部４Ａは、ＶＲＡＭ（Video RAM）に記憶されたデータを読み出し、読み出したデータに対して所定の処理を施した後、ディスプレイ５Ａに送って各種画面表示を行う。操作受付部６Ａは、操作部７Ａを介して各種操作を受付ける。操作部７Ａは、操作キー、操作ボタン、スイッチ、ジョグダイヤル、タッチパネルディスプレイ、キーボードなどを含む。通信部８Ａは、有線及び／または無線で、インターネット、ＬＡＮ（Local Area Network）等のネットワークに接続し、他の電子機器と通信する。
【００１６】  以下、本実施の形態について説明する。なお、以下の実施形態の説明において利用する機能ブロック図は、ハードウエア単位の構成ではなく、機能単位のブロックを示している。これらの図においては、各装置は１つの機器により実現されるよう記載されているが、その実現手段はこれに限定されない。すなわち、物理的に分かれた構成であっても、論理的に分かれた構成であっても構わない。なお、同一の構成要素には同一の符号を付し、適宜説明を省略する。
【００１７】＜第１の実施形態＞  まず、本実施形態の概要について説明する。本実施形態の情報処理装置は、顧客自身により商品情報の読取作業が行われるセルフＰＯＳ装置（セルフＰＯＳレジスター）である。本実施形態のセルフＰＯＳ装置（セルフＰＯＳレジスター）は、顧客に向けられたディスプレイを備える。そして、本実施形態のセルフＰＯＳ装置は、当該ディスプレイに、読取作業に関わる顧客、読取作業に関わる商品、及び、読取作業に関わる店員の中の少なくとも１つを撮影した撮影画像を表示することができる。
【００１８】  このような本実施形態のセルフＰＯＳ装置によれば、顧客は、読取作業を行っている間、ディスプレイに表示された撮影画像を視認することで、自分や読取作業対象の商品が撮影されていることを知ることができる。また、読取作業に関わり、監視等を行っている店員の存在を知ることができる。これにより、顧客による不正を抑制する効果が期待される。
【００１９】  次に、本実施形態の構成について詳細に説明する。図２は、本実施形態のセルフＰＯＳ装置１０の外観模式図の一例である。なお、図示するセルフＰＯＳ装置１０の外観形状や構成はあくまで一例であり、これに限定されない。
【００２０】  セルフＰＯＳ装置１０は、少なくとも、ディスプレイ２０と、読取手段２４と、を備える。
【００２１】  読取手段２４は、商品情報をスキャンするためのレーザー光２５を出力する。例えば、各商品にバーコード等の形式で付されている商品情報をレーザー光２５にかざし、スキャンさせることで、セルフＰＯＳ装置１０に商品情報を読み取らせることができる。
【００２２】  ディスプレイ２０には、会計処理のための情報（会計関連情報）が表示される。例えば、読取手段２４で読み取らせた商品情報や、合計金額等が表示される。また、ディスプレイ２０には、読取作業に関わる顧客、読取作業に関わる商品、及び、読取作業に関わる店員の中の少なくとも１つを撮影した撮影画像が表示される。
【００２３】  なお、図示しないが、会計関連情報が表示されるディスプレイとは別に、撮影画像を表示するディスプレイが設けられていてもよい。例えば、図２に示すディスプレイ２０には、会計関連情報が表示されてもよい。そして、ディスプレイ２０の周辺に、ディスプレイ２０よりも小さいサブディスプレイが設置されてもよい。そして、当該サブディスプレイに、撮影画像が表示されてもよい。
【００２４】  セルフＰＯＳ装置１０は、読取前商品載置台２２及び読取後商品載置台２３を備えることができる。読取前商品載置台２２には、読取作業の対象（購入対象）であって、商品情報を読み取らせる前の商品が載置される。例えば、このような商品を収容したカゴが載置されてもよい。読取後商品載置台２３には、読取作業の対象（購入対象）であって、商品情報を読み取らせた後の商品が載置される。例えば、このような商品を収容したカゴが載置されてもよい。
【００２５】  また、セルフＰＯＳ装置１０は、１つ又は複数の撮影装置２１を備えることができる。図２に示す例の場合、セルフＰＯＳ装置１０は、４つの撮影装置２１−１乃至２１−４を備える。
【００２６】  なお、セルフＰＯＳ装置１０は、撮影装置２１−１乃至２１−４の中の少なくとも１つ、例えば全部を備えない構成とすることもできる。セルフＰＯＳ装置１０が撮影装置２１−１乃至２１−４の全部を備えない場合、セルフＰＯＳ装置１０は、セルフＰＯＳ装置１０から独立して存在する撮影装置２１から所定の撮影画像を取得し、表示することとなる。
【００２７】  撮影装置２１−１は、当該セルフＰＯＳ装置１０を用いて読取作業を行っている顧客を撮影するよう構成されている。撮影装置２１−１は、例えば、読取作業を行っている顧客の顔を撮影できる位置及び向きに設置される。撮影装置２１−２は、当該セルフＰＯＳ装置１０を用いて読取作業を行っている商品を撮影するよう構成されている。撮影装置２１−２は、例えば、レーザー光２５にかざして商品情報を読み取らせている際の商品を撮影する位置及び向きに設置される。撮影装置２１−３は、読取前商品載置台２２に載置された商品を撮影するよう構成されている。撮影装置２１−４は、読取後商品載置台２３に載置された商品を撮影するよう構成されている。
【００２８】  セルフＰＯＳ装置１０は、このような撮影装置２１−１乃至２１−４が撮影した撮影画像を、ディスプレイ２０に表示することができる。
【００２９】  次に、図３に、本実施形態のセルフＰＯＳ装置１０の適用例を示す。店舗内の所定の区画に、１つまたは複数のセルフＰＯＳ装置１０（図の場合、６個）が設置される。複数のセルフＰＯＳ装置１０は、例えばＬＡＮ等のネットワーク１を介して、店員により操作される管理装置３０と繋がっている。
【００３０】  管理装置３０は、複数のセルフＰＯＳ装置１０と同じ区画に設置され、セルフＰＯＳ装置１０に関わる店員、すなわち、セルフＰＯＳ装置１０を利用して読取作業を行う顧客の補助をしたり、監視をしたりする店員により操作されてもよい。または、当該管理装置３０は、複数のセルフＰＯＳ装置１０が設置された区画と異なる場所、例えば、事務所を構えるバックルーム等に設置されてもよい。管理装置３０は、複数のセルフＰＯＳ装置１０各々と繋がり、各セルフＰＯＳ装置１０から各々に関わる情報を取得し、閲覧できるようになっている。例えば、管理装置３０は、各セルフＰＯＳ装置１０のディスプレイ２０に表示されている画像と同じ画像を閲覧できるようになっていてもよい。
【００３１】  複数のセルフＰＯＳ装置１０が設置された区画には、読取作業に関わる店員が常駐する。例えば、当該店員が通常位置するエリア（例：すべてのセルフＰＯＳ装置１０を視認できる位置）が定められていてもよい。そして、図示しないが、当該エリアに位置する店員を撮影するよう構成された撮影装置２１が設けられていてもよい。当該撮影装置２１は、例えば、当該エリアにいる店員の顔を撮影できる位置及び向きに設置される。例えば、店員が通常位置するエリアには、上記管理装置３０が設置され、当該管理装置３０に撮影装置２１が設置されてもよい。例えば、管理装置３０を操作するユーザの顔を撮影する位置及び向きに撮影装置２１が設置されてもよい。
【００３２】  図４に、本実施形態のセルフＰＯＳ装置１０の機能ブロック図の一例を示す。本実施形態のセルフＰＯＳ装置１０は、顧客自身により商品情報の読取作業が行われるよう構成されている。そして、図示するように、セルフＰＯＳ装置１０は、取得部１１と、撮影画像表示部１２とを有する。
【００３３】  取得部１１は、読取作業に関わる顧客、読取作業に関わる商品、及び、読取作業に関わる店員の中の少なくとも１つを撮影した撮影画像を取得する。撮影画像は、いわゆる動画像であってもよいし、静止画像であってもよい。静止画像の場合、所定の時間間隔（例：０．５秒毎、１秒毎等）で連続的に撮影されたものとするのが好ましい。なお、撮影画像を静止画とする場合、動画像よりもフレームレートを大きくすることで、データ量を少なくすることができる。
【００３４】  読取作業に関わる顧客は、各セルフＰＯＳ装置１０を利用して読取作業を行う顧客である。例えば、図２に示すように、各セルフＰＯＳ装置１０の所定位置に設置された撮影装置２１−１が、このような顧客を撮影する。読取作業に関わる商品は、各セルフＰＯＳ装置１０を利用して読取作業を行う対象の商品である。例えば、図２に示すように、各セルフＰＯＳ装置１０の所定位置に設置された撮影装置２１−２乃至２１−４の少なくとも１つが、このような商品を撮影する。読取作業に関わる店員は、各セルフＰＯＳ装置１０を利用して顧客により行われる読取作業を監視したり、補助したりする店員である。例えば、図３を用いて説明したように、当該店員が通常位置するよう定められたエリアを撮影するよう構成された撮影装置２１、例えば、当該エリアに設置され、当該店員により操作される管理装置３０に設置された撮影装置２１が、このような店員を撮影する。取得部１１は、このような撮影装置２１（撮影装置２１−１乃至２１−４を含む）により撮影された撮影画像を、リアルタイムに取得する。セルフＰＯＳ装置１０及び撮影装置２１は、有線及び／又は無線での通信により、画像データを送受信できるよう接続されている。
【００３５】  撮影画像表示部１２は、顧客に向けられたディスプレイに、取得部１１が取得した撮影画像を表示する。例えば、撮影画像表示部１２は、図２に示すディスプレイ２０の一部に撮影画像を表示する。なお、撮影画像表示部１２は、リアルタイム処理で、取得部１１が取得した撮影画像を表示することができる。ここでのリアルタイム処理は、ある顧客を撮影した撮影画像を当該顧客に視認させることができるレベルの処理であればよい。当該リアルタイム処理は、撮影画像を視認する顧客が自己の動作と表示内容とが一致していると感じるレベルの処理であってもよいし、当該顧客が自己の動作と表示内容とがずれている、すなわち、表示内容が多少遅れていると感じるレベルの処理であってもよい。
【００３６】  例えば、取得部１１が動画像である撮影画像を取得した場合、撮影画像表示部１２は、動画像をディスプレイに表示することができる。一方、取得部１１が連続的に撮影された複数の静止画からなる撮影画像を取得した場合、撮影画像表示部１２は、いわゆるスライドショー形式で、複数の静止画像を連続的に表示する。
【００３７】  取得部１１が複数の撮影装置２１各々から撮影画像を取得する場合、撮影画像表示部１２は、撮影画像の数（撮影装置２１の数）と同数のマルチ画面で複数の撮影画像を表示してもよい。その他、撮影画像表示部１２は、撮影画像の数（撮影装置２１の数）よりも少ない数の画面に、複数の撮影画像を順次表示してもよい。
【００３８】  なお、撮影画像表示部１２は、マルチ画面（例：撮影画像の数よりも少ない画面数）の各画面に複数の撮影画像を順次表示することもできる。この場合、撮影画像表示部１２は、複数の画面に同じ撮影画像（同じ撮影装置２１が撮影した撮影画像）が表示されないように表示を制御することができる。
【００３９】  撮影画像表示部１２は、撮影画像を表示していない状態で商品情報が読み取られると（例：以下で説明する読取部１４による読み取り）、それに応じて、撮影画像の表示を開始してもよい。
【００４０】  ところで、セルフＰＯＳ装置１０を利用した顧客による一連の作業の流れは、例えば、商品情報の読み取り、会計処理開始の入力受付、及び、会計処理、をこの順に行うもの（第１の流れ）、及び／又は、商品情報の読み取り、及び、作業中止の入力受付、をこの順に行うもの（第２の流れ）となる。そして、セルフＰＯＳ装置１０は複数の顧客に順次利用されることで、このような流れを繰り返すこととなる。
【００４１】  撮影画像表示部１２は、会計処理開始の入力受付、会計処理の終了、及び、作業中止の入力受付の中の少なくとも１つが完了するまで、撮影画像の表示を継続してもよい。そして、これらのなかの少なくとも１つが完了したことに応じて、撮影画像の表示を停止してもよい。
【００４２】  その他、例えば管理装置３０を介した店員による遠隔操作により、各セルフＰＯＳ装置１０における撮影画像の表示及び非表示が制御されてもよい。
【００４３】  以上の説明によれば、セルフＰＯＳ装置１０と、商品情報の読取作業に関わる顧客、当該読取作業に関わる商品、及び、当該読取作業に関わる店員の中の少なくとも１つを撮影する少なくとも１つの撮影装置と、を有するセルフＰＯＳシステムの説明もなされている。
【００４４】  以上説明した本実施形態によれば、読取作業を行っている顧客に向けられたディスプレイに、商品情報の読取作業に関わる顧客、当該読取作業に関わる商品、及び、当該読取作業に関わる店員の中の少なくとも１つを撮影した撮影画像を表示することができる。この撮影画像を視認することで、読取作業を行っている顧客は、自分や読取作業対象の商品が撮影されていることを知ることができる。また、読取作業に関わり、監視等を行っている店員の存在を知ることができる。これにより、顧客による不正を抑制する効果が期待される。
【００４５】  なお、撮影画像表示部１２は、撮影画像とともに、あたかも撮影画像が録画されているような雰囲気を醸し出す情報（文字、図形、アニメーション等）をディスプレイに表示してもよい。これにより、顧客による不正を抑制する効果の増大が期待される。
【００４６】＜第２の実施形態＞  本実施形態のセルフＰＯＳ装置１０は、会計関連情報と、撮影画像とを同じディスプレイに表示する。
【００４７】  図５に、本実施形態のセルフＰＯＳ装置１０の機能ブロック図の一例を示す。図示するように、セルフＰＯＳ装置１０は、取得部１１と、撮影画像表示部１２と、読取部１４と、商品情報表示部１５とを有する。取得部１１の構成は第１の実施形態と同様である。
【００４８】  読取部１４は、商品情報を読み取る。例えば、読取部１４は、レーザー光を出力し、各商品にバーコード等の形式で付されている商品情報を読み取る。
【００４９】  商品情報表示部１５は、読取部１４が読み取った商品情報をディスプレイに表示する。商品情報表示部１５は、例えば、図２に示すディスプレイ２０に、上記商品情報を表示する。
【００５０】  撮影画像表示部１２は、商品情報表示部１５により商品情報が表示されているディスプレイに、撮影画像を表示する。撮影画像表示部１２は、例えば、図２に示すディスプレイ２０に、撮影画像を表示する。すなわち、本実施形態では、同一のディスプレイに、商品情報と撮影画像とが表示される。
【００５１】  図６に、ディスプレイ２０に商品情報及び撮影画像が表示された状態の一例を模式的に示す。図６に示す例の場合、ディスプレイ２０いっぱいに、商品情報を表示するための画面（商品情報表示画面２０Ａ）が表示されている。
【００５２】  商品情報表示画面２０Ａにおいては、商品明細の欄に、読取部１４により読み取られた商品情報の一覧が表示される。「中止（キャンセル）」、「会計（精算）」の情報が示されたタッチエリアは、各々、会計を中止するタッチ操作、及び、会計処理に進むためのタッチ操作を受け付けるためのエリアである。「預かり」、「釣銭」、「税額」、「合計」の欄には、各々、預かり金額、釣銭金額、税額、購入金額合計が表示される。
【００５３】  図６に示す例の場合、商品情報表示画面２０Ａに重ねて、撮影画像を表示するための撮影画像表示画面２０Ｂが表示されている。このような表示形式の場合、撮影画像表示画面２０Ｂは、商品情報表示画面２０Ａの視認性を損なわないよう、ディスプレイ２０の外周沿い、例えば四隅のいずれかに表示されてもよい。
【００５４】  図７に、ディスプレイ２０に商品情報表示画面２０Ａ及び撮影画像表示画面２０Ｂが表示された状態の他の一例を模式的に示す。図７に示す例の場合、撮影画像表示画面２０Ｂが複数存在し（撮影画像表示画面２０Ｂ−１乃至２０Ｂ−４）、マルチ画面となっている。そして、図６の例と同様、ディスプレイ２０いっぱいに商品情報表示画面２０Ａが表示され、その上に重ねて撮影画像表示画面２０Ｂ−１乃至２０Ｂ−４が表示されている。このような表示形式の場合、複数の撮影画像表示画面２０Ｂは、商品情報表示画面２０Ａの視認性を損なわないよう、ディスプレイ２０の外周沿いに表示されるのが好ましい。
【００５５】  なお、図示するように複数の撮影画像表示画面２０Ｂ−１乃至２０Ｂ−４は、同じ辺沿いに並んでいる必要はなく、例えば、異なる辺沿いに配置されてもよいし、ディスプレイ２０の四隅に配置されてもよい。
【００５６】  図８に、ディスプレイ２０に商品情報表示画面２０Ａ及び撮影画像表示画面２０Ｂが表示された状態の他の一例を模式的に示す。図８に示す例の場合、ディスプレイ２０が２つのエリアに分けられている。そして、一方のエリアに商品情報表示画面２０Ａが表示され、他方のエリアに撮影画像表示画面２０Ｂが表示されている。他方のエリアには、複数の撮影画像表示画面２０Ｂが表示されてもよい。なお、ディスプレイ２０を２つのエリアに分ける手法は、図示する左右２つに分ける例に限定されず、上下２つに分けてもよいし、不規則な態様で２つに分けてもよい。当該例の場合、撮影画像表示画面２０Ｂにより商品情報表示画面２０Ａの一部（撮影画像表示画面２０Ｂが重なる部分）が見えなくなるという不都合を回避できる。
【００５７】  以上説明した本実施形態によれば、第１の実施形態と同様の作用効果を実現できる。また、本実施形態によれば、読取部１４により読み取らせた商品情報を含む会計関連情報と、撮影画像とを同じディスプレイに表示することができる。
【００５８】  読取作業の間、顧客は、主に、当該作業に関連する情報（会計関連情報）が表示されたディスプレイを視認すると考えられる。当該ディスプレイに撮影画像を表示することで、顧客に、当該撮影画像の存在を高確率で知らせることができる。そして、顧客が当該撮影画像に気づかないという不都合を軽減することができる。
【００５９】＜第３の実施形態＞  本実施形態のセルフＰＯＳ装置１０は、撮影画像の中から、顧客及び商品の少なくとも一方である対象物を特定し、特定した対象物を強調表示する。
【００６０】  図９に、本実施形態のセルフＰＯＳ装置１０の機能ブロック図の一例を示す。図示するように、セルフＰＯＳ装置１０は、取得部１１と、撮影画像表示部１２と、対象物特定部１３とを有する。なお、セルフＰＯＳ装置１０は、さらに、読取部１４及び商品情報表示部１５を備えることもできる。取得部１１、読取部１４及び商品情報表示部１５の構成は第１及び第２の実施形態と同様である。
【００６１】  対象物特定部１３は、撮影画像を画像解析し、撮影画像の中から、顧客及び商品の少なくとも一方である対象物を特定する。対象物を特定する手段としては、従来のあらゆる技術を採用できる。例えば、デジタルカメラ等の撮影装置に搭載されている顔認識機能を利用することで、撮影画像の中から人の顔（顧客の顔）を特定してもよい。また、対象物特定部１３は撮影画像に写ると考えらえる商品の特徴量（例：輪郭の特徴量等）を予め保持しておき、エッジ検出手段等で撮影画像から抽出した輪郭の特徴と照合することで、商品を特定してもよい。
【００６２】  撮影画像表示部１２は、対象物特定部１３が特定した対象物を強調表示する。強調表示とは、撮影画像中のその他の部分から区別し、その他の部分よりも目立つように表示することである。図１０に、撮影画像表示部１２による強調表示の一例を示す。図１０は、ディスプレイに表示された撮影画像表示画面２０Ｂのみを抽出し、その表示内容を模式的に示している。図示するように、撮影画像表示画面２０Ｂには、顧客が保持している商品（読取作業に関わる商品）を撮影した撮影画像が表示されている。そして、当該撮影画像に、当該商品を囲む枠４０を重ねて表示することで、強調表示している。なお、強調表示の手法は、枠４０で囲むものに限定されず、その他の手法を採用することもできる。対象物として顧客を特定した場合も、同様の手法で強調表示することができる。
【００６３】  以上、説明した本実施形態によれば、第１及び第２の実施形態と同様の作用効果を実現することができる。また、顧客に向けて表示している撮影画像において、顧客及び商品の少なくとも一方である対象物を強調表示することで、顧客に、顧客自身や商品が画像中で特定され、画像中の他の部分よりも特に注意して閲覧されているような印象を与えることができる。結果、顧客による不正を抑制する効果が期待される。
【００６４】＜第４の実施形態＞  本実施形態のセルフＰＯＳ装置１０は、読取作業に関わる店員を撮影するよう構成された撮影装置２１から取得した撮影画像に、店員が写っているか否かを判断し、店員が写っていない撮影画像は表示しないよう表示を制御する。
【００６５】  図１１に、本実施形態のセルフＰＯＳ装置１０の機能ブロック図の一例を示す。図示するように、セルフＰＯＳ装置１０は、取得部１１と、撮影画像表示部１２と、判断部１６とを有する。なお、セルフＰＯＳ装置１０は、さらに、対象物特定部１３、読取部１４及び商品情報表示部１５の中の少なくとも１つを備えることもできる。対象物特定部１３、読取部１４及び商品情報表示部１５の構成は第１乃至第３の実施形態と同様である。
【００６６】  取得部１１は、少なくとも、読取作業に関わる店員を撮影するよう構成された撮影装置２１から撮影画像を取得する。すなわち、取得部１１は、上記店員が位置するよう定められた所定のエリアを撮影するような向き及び位置に設置された撮影装置２１から撮影画像を取得する。当該撮影装置２１は、所定のエリアを撮影するよう設置（固定）されたものなので、当該エリアに店員が位置する場合は当該店員を撮影できるが、当該店員が他のエリアに移動している間は、当該店員を撮影できない。
【００６７】  判断部１６は、上記撮影装置２１から取得された撮影画像に店員が写っているか否かを判断する。
【００６８】  例えば、判断部１６は、撮影画像を画像解析することで、撮影画像に店員が写っているか否かを判断してもよい。例えば、判断部１６は、撮影画像中に人物が写っているか否かを判断し、人物が写っている場合には店員が写っている、人物が写っていない場合には店員が写っていないと判断してもよい。その他、店員が店員に固有の衣服や帽子、バッジなどを身に着けている場合には、判断部１６は、そのような特徴的なものを身に着けている人物が写っているか否かを判断することで、店員が写っているか否かを判断してもよい。
【００６９】  その他、読取作業に関わる店員が位置するよう定められた所定のエリアに人感センサが設置されてもよい。そして、判断部１６は、当該人感センサからのリアルタイムな情報に基づいて、上記所定のエリアに人がいるか否かを判断してもよい。そして、判断部１６は、上記所定のエリアに人がいると判断している際に取得部１１が上記撮影装置２１から取得した撮影画像には上記店員が写っていると判断し、上記所定のエリアに人がいないと判断している際に取得部１１が上記撮影装置２１から取得した撮影画像には上記店員が写っていないと判断してもよい。
【００７０】  その他、読取作業に関わる店員が位置するよう定められた所定のエリアに管理装置３０が設置されている場合、判断部１６は、上記店員による管理装置３０へのログイン／ログオフ情報を取得し、当該情報に基づいて判断してもよい。例えば、判断部１６は、店員が管理装置３０にログインしている際に取得部１１が上記撮影装置２１から取得した撮影画像には上記店員が写っていると判断してもよい。そして、判断部１６は、店員が管理装置３０にログインしていない際（ログオしている際）に取得部１１が上記撮影装置２１から取得した撮影画像には上記店員が写っていないと判断してもよい。
【００７１】  撮影画像表示部１２は、店員が写っていないと判断された撮影画像はディスプレイに表示しない。例えば、その間、撮影画像表示部１２は他の撮影装置２１から取得した撮影画像をディスプレイに表示したり、撮影画像自体を非表示にしたりする。
【００７２】  以上説明した本実施形態によれば、第１乃至第３の実施形態と同様の作用効果を実現することができる。また、本実施形態によれば、撮影画像に本来写っているべき店員が写っていないと判断した場合、その撮影画像を顧客に向けられたディスプレイに表示しないようにすることができる。
【００７３】  本来写っているべき店員が写っていない撮影画像を顧客に向けて表示すると、当該店員が全体を監視するために本来いるべきエリアにいないことを、顧客に知られてしまう。かかる場合、このような間に、不正を促進してしまう恐れがある。本実施形態によれば、このような不都合を回避することができる。
【００７４】＜第５の実施形態＞  本実施形態のセルフＰＯＳ装置１０は、ある商品の前記商品情報を読み取ってから次の商品の前記商品情報を読み取るまでの時間を認識し、その時間に基づいて、撮影画像の表示を制御する。
【００７５】  図１２に、本実施形態のセルフＰＯＳ装置１０の機能ブロック図の一例を示す。図示するように、セルフＰＯＳ装置１０は、取得部１１と、撮影画像表示部１２と、読取部１４と、テンポ認識部１７とを有する。なお、セルフＰＯＳ装置１０は、さらに、対象物特定部１３、商品情報表示部１５及び判断部１６の中の少なくとも１つを備えることもできる。取得部１１、対象物特定部１３、読取部１４、商品情報表示部１５及び判断部１６の構成は第１乃至第４の実施形態と同様である。
【００７６】  テンポ認識部１７は、ある商品の商品情報を読み取ってから次の商品の商品情報を読み取るまでの時間（以下、「読取間隔」という場合がある）を認識する。テンポ認識部１７は、ある顧客が会計処理を継続している間、継続的に当該時間を認識し、蓄積していってもよい。
【００７７】  撮影画像表示部１２は、テンポ認識部１７が認識した時間に基づいて、撮影画像の表示を制御する。
【００７８】  上記時間が長い場合、顧客が、会計処理の間に、読取作業に関係ない動作を行っている可能性がある。そこで、撮影画像表示部１２は、上記時間に基づいて、撮影画像の表示及び非表示を制御してもよい。
【００７９】  例えば、撮影画像表示部１２は、上記時間が所定の時間以上であることを検知すると、それに応じて、撮影画像の表示を開始してもよい。この場合、会計処理の開始当初には撮影画像を表示せず、上記時間が所定の時間以上であることを検知したことに応じて、撮影画像の表示が開始される。会計関連情報と撮影画像を同じディスプレイに表示する場合、撮影画像の存在により、会計関連情報の視認性が損なわれてしまう。そこで、常に撮影画像を表示するのでなく、上述のような事態を検知した場合に初めて撮影画像を表示するようにすることで、当該不都合を軽減できる。
【００８０】  その他、撮影画像表示部１２は、上記時間に基づいて、ディスプレイに表示する撮影画像の数、すなわち、撮影画像表示画面２０Ｂの数を制御してもよい。
【００８１】  例えば、撮影画像表示部１２は、上記時間が所定の時間以上であることを検知すると、それに応じて、撮影画像の数を増やしてもよい。この場合、会計処理の開始当初には例えば１つの撮影画像が表示され、上記時間が所定の時間以上であることを検知したことに応じて、撮影画像の数が増えていく。会計関連情報と撮影画像を同じディスプレイに表示する場合、撮影画像の存在により、会計関連情報の視認性が損なわれてしまう。そこで、常に多数の撮影画像を表示するのでなく、上述のような事態を検知した場合に表示する撮影画像の数を増やすことで、当該不都合を軽減できる。
【００８２】  その他、撮影画像表示部１２は、上記時間に基づいて、ディスプレイに表示する撮影画像の種類を制御してもよい。
【００８３】  例えば、撮影画像表示部１２は、上記時間が所定の時間以上であることを検知すると、それに応じて、店員を撮影した撮影画像を表示し、当該表示を固定（継続）してもよい。
【００８４】  その後、例えば、管理装置３０が備えるマイクや、店員が携帯しているヘッドフォンマイク等を介して店員が入力した音声が当該セルフＰＯＳ装置１０に送信され、当該セルフＰＯＳ装置１０は、自装置が備えるスピーカを介して店員の音声を出力してもよい。
【００８５】  例えば、店員は、「どうかしましたか？」、「お手伝いしましょうか？」等の問いかけを行うことができる。これにより、顧客による不正を抑制できる。
【００８６】  なお、上記所定の時間は、予めすべての顧客に対して共通に定められた時間であってもよい。しかし、顧客の年齢や、当該セルフＰＯＳ装置１０の利用回数等により、読取作業のスピードは異なり得る。そこで、撮影画像表示部１２は、顧客ごとに、上記所定の時間を定めてもよい。例えば、各顧客が今回の会計処理において行った所定回数の読取作業における読取間隔に基づいて、上記所定の時間を決定してもよい。例えば、複数の読取間隔の平均値、最大値、最小値、最頻値等の統計値に、所定の猶予時間を加えた時間を、上記所定の時間として決定してもよい。
【００８７】  その他、顧客の年齢ごとに上記所定の時間を予め定めておいてもよい。そして、図２に示す撮影装置２１−１で撮影した顧客の顔画像を解析することで顧客の年齢層を推定し、推定結果に対応した上記所定の時間を決定してもよい。
【００８８】  以上説明した本実施形態によれば、第１乃至第４の実施形態と同様の作用効果を実現できる。
【００８９】  また、本実施形態よれば、常に撮影画像を表示するのでなく、所定の状態の検知に応じて、撮影画像の表示を開始することができる。また、本実施形態よれば、常に複数の撮影画像を表示するのでなく、所定の状態の検知に応じて、表示する撮影画像の数を増やすことができる。
【００９０】  このような本実施形態によれば、撮影画像により会計関連情報の視認性が損なわれる不都合を軽減することができる。＜第６の実施形態＞  本実施形態の情報処理装置は、セルフＰＯＳ装置と異なる装置である。その他の構成は、第１乃至第５の実施形態と同様である。本実施形態の情報処理装置は、例えば、セルフＰＯＳ装置毎に、各セルフＰＯＳ装置の近くに設置される。そして、情報処理装置は、対応するセルフＰＯＳ装置を用いた商品情報の読取作業に関わる顧客、当該読取作業に関わる商品、及び、当該読取作業に関わる店員の中の少なくとも１つを撮影した撮影画像を取得し（取得部１１）、当該顧客に向けられたディスプレイに、当該撮影画像を表示する（撮影画像表示部１２）。本実施形態においても、第１乃至第５の実施形態と同様の作用効果を実現することができる。
【００９１】  以下、参考形態の例を付記する。１．  商品情報の読取作業に関わる顧客、前記読取作業に関わる商品、及び、前記読取作業に関わる店員の中の少なくとも１つを撮影した撮影画像を取得する取得手段と、  前記顧客に向けられたディスプレイに、前記撮影画像を表示する撮影画像表示手段と、を有する情報処理装置。２．  １に記載の情報処理装置において、  前記撮影画像の中から、前記顧客及び前記商品の少なくとも一方である対象物を特定する対象物特定手段をさらに有し、  前記撮影画像表示手段は、前記対象物を強調表示する情報処理装置。３．  １又は２に記載の情報処理装置において、  前記商品情報を読み取る読取手段と、  前記読取手段が読み取った前記商品情報をディスプレイに表示する商品情報表示手段と、をさらに有し、  前記撮影画像表示手段は、前記商品情報が表示されているディスプレイに前記撮影画像を表示する情報処理装置。４．  １から３のいずれかに記載の情報処理装置において、  前記取得手段は、複数の撮影装置から前記撮影画像を取得し、  前記撮影画像表示手段は、１つまたは複数の画面で複数の前記撮影画像を表示し、  前記商品情報を読み取る読取手段と、  ある商品の前記商品情報を読み取ってから次の商品の前記商品情報を読み取るまでの時間を認識するテンポ認識手段と、をさらに有し、  前記撮影画像表示手段は、前記時間に基づいて、前記画面の数を制御する情報処理装置。５．  １から３のいずれかに記載の情報処理装置において、  前記取得手段は、複数の撮影装置から前記撮影画像を取得し、  前記撮影画像表示手段は、複数の前記撮影画像を画面に順次表示する情報処理装置。６．  １から５のいずれかに記載の情報処理装置において、  前記取得手段は、前記店員が位置するよう定められた所定のエリアを撮影するように設置された撮影装置から撮影画像を取得し、  前記撮影装置から取得された前記撮影画像に前記店員が写っているか否かを判断する判断手段をさらに有し、  前記撮影画像表示手段は、前記店員が写っていないと判断された前記撮影画像は表示しない情報処理装置。７．  １から６のいずれかに記載の情報処理装置において、  前記商品情報を読み取る読取手段と、  ある商品の前記商品情報を読み取ってから次の商品の前記商品情報を読み取るまでの時間を認識するテンポ認識手段と、をさらに有し、  前記撮影画像表示手段は、前記時間に基づいて、前記撮影画像の表示及び非表示を制御する情報処理装置。８．  １から７のいずれかに記載の情報処理装置において、  前記商品情報の読み取り、会計処理開始の入力受付、及び、会計処理をこの順に行う第１の流れ、及び／又は、前記商品情報の読み取り、及び、作業中止の入力受付をこの順に行う第２の流れを繰り返すよう構成されており、  前記撮影画像表示手段は、前記会計処理又は前記作業中止の入力受付の後に、前記商品情報の読み取りがなされると、当該読み取りに応じて、前記撮影画像の表示を開始する情報処理装置。９．  １から８のいずれかに記載の情報処理装置において、  前記情報処理装置は、顧客自身により商品情報の読取作業が行われるセルフＰＯＳ装置である情報処理装置。１０．  １から９のいずれかに記載の情報処理装置と、  商品情報の読取作業に関���る顧客、前記読取作業に関わる商品、及び、前記読取作業に関わる店員の中の少なくとも１つを撮影する少なくとも１つの撮影装置と、を有する情報処理システム。１１．  コンピュータが、  商品情報の読取作業に関わる顧客、前記読取作業に関わる商品、及び、前記読取作業に関わる店員の中の少なくとも１つを撮影した撮影画像を取得する取得工程と、  前記顧客に向けられたディスプレイに、前記撮影画像を表示する撮影画像表示工程と、を実行する情報処理方法。１１−２．  １１に記載の情報処理方法において、  前記コンピュータが、  前記撮影画像の中から、前記顧客及び前記商品の少なくとも一方である対象物を特定する対象物特定工程をさらに実行し、  前記撮影画像表示工程では、前記対象物を強調表示する情報処理方法。１１−３．  １１又は１１−２に記載の情報処理方法において、  前記コンピュータが、  前記商品情報を読み取る読取工程と、  前記読取工程で読み取った前記商品情報をディスプレイに表示する商品情報表示工程と、をさらに実行し、  前記撮影画像表示工程では、前記商品情報が表示されているディスプレイに前記撮影画像を表示する情報処理方法。１１−４．  １１から１１−３のいずれかに記載の情報処理方法において、  前記取得工程では、複数の撮影装置から前記撮影画像を取得し、  前記撮影画像表示工程では、１つまたは複数の画面で複数の前記撮影画像を表示し、  前記コンピュータが、  前記商品情報を読み取る読取工程と、  ある商品の前記商品情報を読み取ってから次の商品の前記商品情報を読み取るまでの時間を認識するテンポ認識工程と、をさらに実行し、  前記撮影画像表示工程では、前記時間に基づいて、前記画面の数を制御する情報処理方法。１１−５．  １１から１１−３のいずれかに記載の情報処理方法において、  前記取得工程では、複数の撮影装置から前記撮影画像を取得し、  前記撮影画像表示工程では、複数の前記撮影画像を画面に順次表示する情報処理方法。１１−６．  １１から１１−５のいずれかに記載の情報処理方法において、  前記取得工程では、前記店員が位置するよう定められた所定のエリアを撮影するように設置された撮影装置から撮影画像を取得し、  前記コンピュータが、前記撮影装置から取得された前記撮影画像に前記店員が写っているか否かを判断する判断工程をさらに実行し、  前記撮影画像表示工程では、前記店員が写っていないと判断された前記撮影画像は表示しない情報処理方法。１１−７．  １１から１１−６のいずれかに記載の情報処理方法において、  前記コンピュータが、  前記商品情報を読み取る読取工程と、  ある商品の前記商品情報を読み取ってから次の商品の前記商品情報を読み取るまでの時間を認識するテンポ認識工程と、をさらに実行し、  前記撮影画像表示工程では、前記時間に基づいて、前記撮影画像の表示及び非表示を制御する情報処理方法。１１−８．  １１から１１−７のいずれかに記載の情報処理方法において、  前記商品情報の読み取り、会計処理開始の入力受付、及び、会計処理をこの順に行う第１の流れ、及び／又は、前記商品情報の読み取り、及び、作業中止の入力受付をこの順に行う第２の流れを繰り返すよう構成されており、  前記撮影画像表示工程では、前記会計処理又��前記作業中止の入力受付の後に、前記商品情報の読み取りがなされると、当該読み取りに応じて、前記撮影画像の表示を開始する情報処理方法。１１−９．  １１から１１−８のいずれかに記載の情報処理方法において、  顧客自身により商品情報の読取作業が行われるセルフＰＯＳ装置のコンピュータにより実行される情報処理方法。１２．  コンピュータを、  商品情報の読取作業に関わる顧客、前記読取作業に関わる商品、及び、前記読取作業に関わる店員の中の少なくとも１つを撮影した撮影画像を取得する取得手段、  前記顧客に向けられたディスプレイに、前記撮影画像を表示する撮影画像表示手段、として機能させるためのプログラム。１２−２．  １２に記載のプログラムにおいて、  前記コンピュータを、前記撮影画像の中から、前記顧客及び前記商品の少なくとも一方である対象物を特定する対象物特定手段としてさらに機能させ、  前記撮影画像表示手段に、前記対象物を強調表示させるプログラム。１２−３．  １２又は１２−２に記載のプログラムにおいて、  前記コンピュータを、  前記商品情報を読み取る読取手段、  前記読取手段が読み取った前記商品情報をディスプレイに表示する商品情報表示手段、としてさらに機能させ、  前記撮影画像表示手段に、前記商品情報が表示されているディスプレイに前記撮影画像を表示させるプログラム。１２−４．  １２から１２−３のいずれかに記載のプログラムにおいて、  前記取得手段に、複数の撮影装置から前記撮影画像を取得させ、  前記撮影画像表示手段に、１つまたは複数の画面で複数の前記撮影画像を表示させ、  前記コンピュータを、  前記商品情報を読み取る読取手段、  ある商品の前記商品情報を読み取ってから次の商品の前記商品情報を読み取るまでの時間を認識するテンポ認識手段、としてさらに機能させ、  前記撮影画像表示手段に、前記時間に基づいて、前記画面の数を制御させるプログラム。１２−５．  １２から１２−３のいずれかに記載のプログラムにおいて、  前記取得手段に、複数の撮影装置から前記撮影画像を取得させ、  前記撮影画像表示手段に、複数の前記撮影画像を画面に順次表示させるプログラム。１２−６．  １２から１２−５のいずれかに記載のプログラムにおいて、  前記取得手段に、前記店員が位置するよう定められた所定のエリアを撮影するように設置された撮影装置から撮影画像を取得させ、  前記コンピュータを、前記撮影装置から取得された前記撮影画像に前記店員が写っているか否かを判断する判断手段としてさらに機能させ、  前記撮影画像表示手段に、前記店員が写っていないと判断された前記撮影画像は表示させないプログラム。１２−７．  １２から１２−６のいずれかに記載のプログラムにおいて、  前記コンピュータを、  前記商品情報を読み取る読取手段、  ある商品の前記商品情報を読み取ってから次の商品の前記商品情報を読み取るまでの時間を認識するテンポ認識手段、としてさらに機能させ、  前記撮影画像表示手段に、前記時間に基づいて、前記撮影画像の表示及び非表示を制御させるプログラム。１２−８．  １２から１２−７のいずれかに記載のプログラムにおいて、  前記商品情報の読み取り、会計処理開始の入力受付、及び、会計処理をこの順に行う第１の流れ、及び／又は、前記商品情報の読み取り、及び、作業中止の入力受付をこの順に行う第２の流れを繰り返すようプログラムされており、  前記撮影画像表示手段に、前記会計処理又は前記作業中止の入力受付の後に、前記商品情報の読み取りがなされると、当該読み取りに応じて、前記撮影画像の表示を開始させるプログラム。１２−９．  １２から１２−８のいずれかに記載のプログラムにおいて、  前記プログラムは、顧客自身により商品情報の読取作業が行われるセルフＰＯＳ装置にインストールされるプログラム。
【００９２】  この出願は、２０１４年９月１８日に出願された日本出願特願２０１４−１９０３３５号を基礎とする優先権を主張し、その開示の全てをここに取り込む。
【図１】
2016043102.tif 000003
【図２】
2016043102.tif 000004
【図３】
2016043102.tif 000005
【図４】
2016043102.tif 000006
【図５】
2016043102.tif 000007
【図６】
2016043102.tif 000008
【図７】
2016043102.tif 000009
【図８】
2016043102.tif 000010
【図９】
2016043102.tif 000011
【図１０】
2016043102.tif 000012
【図１１】
2016043102.tif 000013
【図１２】
2016043102.tif 000014
【国際調査報告】
2016043102.tif 000015
2016043102.tif 000016